(57)【要約】【課題】測定精度のあまり高くない携帯型の放射線量測定機器であっても、信頼性の高い放射線量の測定を可能とする。【解決手段】携帯端末１は、放射線センサー６によって検出された放射線量を取得する放射線量取得部２１と、自装置の現在地の位置情報を取得する位置情報取得部２２と、放射線量データベースを参照して、上記位置情報取得部２２によって取得した位置情報に対応付けられた放射線量を取得する放射線モニタリング情報取得部２３と、放射線量取得部２１が取得した放射線量と、放射線モニタリング情報取得部２３が取得した放射線量との差分を、放射線量の相対値として取得する相対比較処理部２４とを備えている。【選択図】図１
2014035259.tif 000002
【特許請求の範囲】
【請求項１】
放射線量の分布を位置情報に対応付けて作成された放射線量データベースにアクセス可能な携帯端末であって、
放射線量を検出する放射線センサーと、
上記放射線センサーによって検出された放射線量を取得する第１放射線量取得部と、
自装置の現在地の位置情報を取得する位置情報取得部と、
上記放射線量データベースを参照して、上記位置情報取得部によって取得した位置情報に対応付けられた放射線量を取得する第２放射線量取得部と、
上記第１放射線量取得部が取得した放射線量と、上記第２放射線量取得部が取得した放射線量との差分を、放射線量の相対値として取得する相対値取得部とを備えていることを特徴とする携帯端末。
【請求項２】
地上までの距離を検出する距離センサーと、
上記距離センサーによる検出値から、地上までの距離を示す距離情報を取得する距離情報取得部とをさらに備え、
上記距離情報取得部は、
取得した距離情報から、上記地上までの距離が、予め設定された範囲に含まれなければ、上記地上までの距離を示す距離情報を上記距離センサーから再度取得することを特徴とする請求項１に記載の携帯端末。
【請求項３】
撮像対象となる物体を撮像する撮像素子と、
上記撮像素子によって撮像された画像データと、上記位置情報取得部によって取得された位置情報と、上記距離情報取得部によって取得された距離情報とを対応付けて、画像埋め込みデータを生成する画像埋め込みデータ生成部とを備えていることを特徴とする請求項２に記載の携帯端末。
【請求項４】
放射線量に関する情報を、ユーザへの報知情報として表示する表示部をさらに備え、
上記相対値取得部は、
取得した放射線量の相対値を、当該相対値の大きさに応じて複数のレベルに分類し、
上記表示部は、
上記相対値取得部によって分類された相対値のレベルを、上記ユーザへの報知情報として表示することを特徴とする請求項１から３のいずれか１項に記載の携帯端末。
【請求項５】
上記放射線センサーに対して、測定条件を指示して、当該放射線センサーが指示された測定条件によって測定した放射線量に対して、統計処理を施して、放射線量を測定する精密測定部をさらに備えていることを特徴とする請求項１から４のいずれか１項に記載の携帯端末。
【請求項６】
放射線量の分布を位置情報に対応付けて作成された放射線量データベースにアクセス可能な携帯端末の制御方法であって、
上記携帯端末は放射線量を検出する放射線センサーを備えており、
上記放射線センサーによって検出された放射線量を取得する第１放射線量取得手順と、
自装置の現在地の位置情報を取得する位置情報取得手順と、
上記放射線量データベースを参照して、上記位置情報取得手順によって取得した位置情報に対応付けられた放射線量を取得する第２放射線量取得手順と、
上記第１放射線量取得手順によって取得した放射線量と、上記第２放射線量取得手順によって取得した放射線量との差分を、放射線量の相対値として取得する相対値取得手順とを含んでいることを特徴とする携帯端末の制御方法。
【請求項７】
コンピュータに、請求項６に記載の携帯端末の制御方法の各手順を実行させる制御プログラム。
【請求項８】
請求項７に記載の制御プログラムを記録したコンピュータ読み取り可能な記録媒体。
【発明の詳細な説明】
【技術分野】
【０００１】
本発明は、任意の位置の放射線量を測定する携帯端末等に関する。
【背景技術】
【０００２】
放射線測定機器は、任意の位置の放射線量を測定することができる。ユーザは、放射線測定機器を用いて、被ばく事故などによって拡散した放射性物質が発する放射線、あるいは、種々の自然発生放射線（バックグラウンド放射線）を測定し、測定位置の安全性を認識することができる。
【０００３】
ここで、放射線測定機器に関する発明としては、特許文献１および特許文献２が挙げられる。
【０００４】
特許文献１には、点検者に装着可能な頭部装着型表示装置と、複数の点検対象に関する情報を記憶する手段と、その記憶された点検対象に関する情報に対応する画像信号を出力する手段とを備える巡回点検支援システムについて開示されている。上記システムでは、上記頭部装着型表示装置により、上記画像信号に対応する点検対象に関する情報が点検者の視野内に表示される。
【０００５】
特許文献２には、放射線センサーにより放射線強度を検出するとともに、検出した放射線強度データをメモリに格納する放射線検出回路部と、予め複数の指紋データを格納するとともに、指紋センサーの指紋認証により、放射線を検出する人物の指紋データを格納するメモリを有する指紋検出回路部と、放射線検出回路部および指紋検出回路部とデータの送受信を行い、指紋検出回路部の指紋センサーで認証された指紋データと、指紋検出回路部のメモリに予め格納されている指紋データとが一致した場合に、放射線検出回路部を動作させるコントローラを備えた放射線検出装置について開示されている。
【先行技術文献】
【特許文献】
【０００６】
【特許文献１】特開平１０−２１４０３８号公報（１９９８年８月１１日公開）
【特許文献２】特開２０１０−１１７２２１号公報（２０１０年５月２７日公開）
【発明の概要】
【発明が解決しようとする課題】
【０００７】
上記特許文献１および上記特許文献２の発明は、何れも、放射線センサーによって放射線量の測定を行っているが、上記放射線センサーによって測定された結果が信頼性が高いものであるか否かを判断することは行っていない。
【０００８】
放射線測定機器において、放射線量の測定精度を上げるためには、放射線研究機関、原
子力機関などの施設で使用されているような、大規模かつ高価格な装置が必要となる。
【０００９】
一方、エンドユーザが使用するような携帯型の放射線測定機器は、小型かつ安価であるという利点がある。しかしながら、携帯型の放射線測定機器の測定精度はあまり高くなく、±２０％前後である。このため、測定した空間線量の測定数値をそのまま表示、あるいは色別で表示した場合、無用な心配・混乱を招く危険性がある。
【００１０】
本発明は、上記の問題点に鑑みてなされたものであり、その目的は、測定精度のあまり高くない携帯型の放射線量測定機器であっても、信頼性の高い放射線量の測定を可能とする携帯端末を実現することにある。
【課題を解決するための手段】
【００１１】
本発明に係る携帯端末は、上記課題を解決するために、放射線量の分布を位置情報に対応付けて作成された放射線量データベースにアクセス可能な携帯端末であって、放射線量を検出する放射線センサーと、上記放射線センサーによって検出された放射線量を取得する第１放射線量取得部と、自装置の現在地の位置情報を取得する位置情報取得部と、上記放射線量データベースを参照して、上記位置情報取得部によって取得した位置情報に対応付けられた放射線量を取得する第２放射線量取得部と、上記第１放射線量取得部が取得した放射線量と、上記第２放射線量取得部が取得した放射線量との差分を、放射線量の相対値として取得する相対値取得部とを備えていることを特徴としている。
【００１２】
また、本発明に係る携帯端末の制御方法は、放射線量の分布を位置情報に対応付けて作成された放射線量データベースにアクセス可能な携帯端末の制御方法であって、上記携帯端末は放射線量を検出する放射線センサーを備えており、上記放射線センサーによって検出された放射線量を取得する第１放射線量取得手順と、自装置の現在地の位置情報を取得する位置情報取得手順と、上記放射線量データベースを参照して、上記位置情報取得手順によって取得した位置情報に対応付けられた放射線量を取得する第２放射線量取得手順と、上記第１放射線量取得手順によって取得した放射線量と、上記第２放射線量取得手順によって取得した放射線量との差分を、放射線量の相対値として取得する相対値取得手順とを含んでいることを特徴としている。
【００１３】
上記の構成によれば、相対値取得部によって取得した放射線量の相対値は、第１放射線量取得部が取得した放射線量（自装置に搭載された放射線センサーによって検出された放射線量）と、第２放射線量取得部が取得した放射線量（放射線量データベースから得られる自装置の位置情報に対応付けられた放射線量）との差分であるため、ユーザは、この相対値の大きさを確認すれば、自装置に搭載された放射線センサーによる放射線量が、実際の自装置がいる位置での放射線量とどの程度離れているかが把握できる。つまり、上記相対値から、自装置における放射線センサーによる測定精度を容易に把握することができる。例えば、相対値が小さければ小さいほど放射線センサーの精度が高く、相対値が大きければ大きいほど放射センサーの精度が低いと判断することができる。
【００１４】
これにより、測定精度のあまり高くない放射線サンサを用いた場合のように、測定した放射線量の値をそのままユーザに知らせる（表示する）ことにより、ユーザによる無用な心配・混乱を招くことがない。
【００１５】
したがって、測定精度のあまり高くない放射線センサーを搭載した携帯型の放射線量測定機器であっても、信頼性の高い放射線量の測定が可能であるという効果を奏する。
【００１６】
さらに、本発明に係る携帯端末は、地上までの距離を検出する距離センサーと、上記距離センサーによる検出値から、地上までの距離を示す距離情報を取得する距離情報取得部とをさらに備え、上記距離情報取得部は、取得した距離情報から、上記地上までの距離が、予め設定された範囲に含まれなければ、上記地上までの距離を示す距離情報を上記距離センサーから再度取得することが好ましい。
【００１７】
上記の構成によれば、上記距離情報取得部が、取得した距離情報から、地上までの距離が、予め設定された範囲に含まれなければ、上記地上までの距離を示す距離情報を上記距離センサーから再度取得するようになっているので、最終的に、地上までの距離を、予め設定された範囲内にすることができる。
【００１８】
これにより、自装置（放射線センサー）の地上からの高さを、予め設定された範囲内で維持した状態で、上述した放射線量の測定を行うことが可能となる。
【００１９】
つまり、上記携帯端末は、上記位置情報に加えて、距離情報として、地上から測定位置までの高さを取得することができる。それゆえ、上記第１放射線量取得部が放射線量を取得するための測定条件と、上記放射線量データベースが含む放射線量の測定条件とを高い精度で統一することができる。
【００２０】
したがって、さらに信頼性の高い放射線量の測定が可能になるという効果を奏する。
【００２１】
さらに、本発明に係る携帯端末は、撮像対象となる物体を撮像する撮像素子と、上記撮像素子によって撮像された画像データと、上記位置情報取得部によって取得された位置情報と、上記距離情報取得部によって取得された距離情報とを対応付けて、画像埋め込みデータを生成する画像埋め込みデータ生成部とを備えていることが好ましい。
【００２２】
上記の構成によれば、画像埋め込みデータ生成部によって生成された画像埋め込みデータは、撮像素子によって撮像された画像データと、上記位置情報取得部によって取得された位置情報と、上記距離情報取得部によって取得された距離情報とが対応付けられたデータであるので、自装置の位置と地上からの高さを考慮した周囲の状況を撮像画像を含めて記憶することができる。
【００２３】
例えば、撮像素子は、放射線量の測定位置の周辺の状況を示す背景、建造物などを画像として撮像することができる。また、上記画像埋め込みデータには、放射線量の測定位置を示す、地上からの高さ、緯度、経度、測定位置の周辺の状況を示す画像（背景、建造物）が含まれている。このようにして生成された画像埋め込みデータは、具体的な測定位置を示すものであるため、定点観測の際に改めて利用することができる。
【００２４】
したがって、継続的に放射線量を測定する場合などにおいて、再現性の高い放射線量の測定が可能となるという効果を奏する。
【００２５】
さらに、本発明に係る携帯端末は、放射線量に関する情報を、ユーザへの報知情報として表示する表示部をさらに備え、上記相対値取得部は、取得した放射線量の相対値を、当該相対値の大きさに応じて複数のレベルに分類し、上記表示部は、上記相対値取得部によって分類された相対値のレベルを、上記ユーザへの報知情報として表示することが好ましい。
【００２６】
上記の構成によれば、上記相対値取得部は、取得した放射線量の相対値を、当該相対値の大きさに応じて複数のレベルに分類し、上記表示部は、上記相対値取得部によって分類された相対値のレベルを、上記ユーザの報知情報として表示することで、上記放射線センサーの測定精度をユーザに対して明示的に示すことができる。
【００２７】
したがって、測定精度のあまり高くない携帯型の放射線量測定機器であっても、ユーザに対して、無用な不安・混乱を生じさせないという効果を奏する。
【００２８】
さらに、本発明に係る携帯端末は、上記放射線センサーに対して、測定条件を指示して、当該放射線センサーが指示された測定条件によって測定した放射線量に対して、統計処理を施して、放射線量を測定する精密測定部をさらに備えていることが好ましい。
【００２９】
上記の構成によれば、精密測定部が、上記放射線センサーに対して、測定条件を指示して、当該放射線センサーが指示された測定条件によって測定した放射線量に対して、統計処理を施して、放射線量を測定することで、放射線量の測定精度を高めることができる。
【００３０】
したがって、測定精度のあまり高くない携帯型の放射線量測定機器であっても、放射線量の測定を精密に行うことができるという効果を奏する。
【００３１】
なお、上記携帯端末は、コンピュータによって実現してもよく、この場合には、コンピュータを上記各手順として動作させることにより上記携帯端末をコンピュータにて実現させる上記携帯端末の制御プログラム、およびそれを記録したコンピュータ読み取り可能な記録媒体も、本発明の範疇に入る。
【発明の効果】
【００３２】
以上のように、本発明に係る携帯端末は、放射線量の分布を位置情報に対応付けて作成された放射線量データベースにアクセス可能な携帯端末であって、放射線量を検出する放射線センサーと、上記放射線センサーによって検出された放射線量を取得する第１放射線量取得部と、自装置の現在地の位置情報を取得する位置情報取得部と、上記放射線量データベースを参照して、上記位置情報取得部によって取得した位置情報に対応付けられた放射線量を取得する第２放射線量取得部と、上記第１放射線量取得部が取得した放射線量と、上記第２放射線量取得部が取得した放射線量との差分を、放射線量の相対値として取得する相対値取得部とを備えていることを特徴としている。
【００３３】
また、本発明に係る携帯端末の制御方法は、放射線量の分布を位置情報に対応付けて作成された放射線量データベースにアクセス可能な携帯端末の制御方法であって、上記携帯端末は放射線量を検出する放射線センサーを備えており、上記放射線センサーによって検出された放射線量を取得する第１放射線量取得手順と、自装置の現在地の位置情報を取得する位置情報取得手順と、上記放射線量データベースを参照して、上記位置情報取得手順によって取得した位置情報に対応付けられた放射線量を取得する第２放射線量取得手順と、上記第１放射線量取得手順によって取得した放射線量と、上記第２放射線量取得手順によって取得した放射線量との差分を、放射線量の相対値として取得する相対値取得手順とを含んでいることを特徴としている。
【００３４】
これにより、測定精度のあまり高くない放射線サンサを用いた場合のように、測定した放射線量の値をそのままユーザに知らせる（表示する）ことにより、ユーザによる無用な心配・混乱を招くことがない。
【００３５】
したがって、測定精度のあまり高くない放射線センサーを搭載した携帯型の放射線量測定機器であっても、信頼性の高い放射線量の測定が可能であるという効果を奏する。
【図面の簡単な説明】
【００３６】
【図１】本発明の一実施形態に係る携帯端末の構成を示す概略ブロック図である。
【図２】上記携帯端末が搭載するカメラが撮像した背景画像データの一例を示したものである。
【図３】上記携帯端末における処理の流れの一例を示したフローチャートである。
【発明を実施するための形態】
【００３７】
本発明の一実施形態について、図１〜図３に基づいて以下に詳細に説明する。
【００３８】
（携帯端末１の主特徴）
図１は、本実施形態に係る携帯端末１の構成を示す概略ブロック図である。携帯端末１は携帯型の情報処理装置であって、典型的には、携帯電話、スマートフォン、タブレットＰＣなどである。
【００３９】
携帯端末１は、現在地の放射線量を測定する機能、および、インターネット上の放射線量データベースＤＢ（図示せず）にアクセスし、携帯端末１の現在地の位置情報に対応する放射線量を取得する機能を具備している。
【００４０】
放射線量データベースＤＢは、インターネット上のサーバに配置されており、各地の放射線量をモニタリングした情報（以下、放射線モニタリング情報と称する）を蓄積したデータベースである。具体的には、放射線量データベースＤＢは、放射線量の分布を位置情報に対応付けたデータベースであって、各地の位置情報と、該位置情報に対応する放射線量とを含んでいる。
【００４１】
そして、携帯端末１は、さらに、取得した現在地の放射線量と、取得した放射線モニタリング情報とを比較する機能を具備している。
【００４２】
（携帯端末１の構成）
図１に示すように、携帯端末１は、制御部２、記憶部３、カメラ（撮像素子）４、操作部５、放射線センサー６、ＧＰＳ受信部７、通信部８、表示部９を備えている。
【００４３】
制御部２は、携帯端末１の全体を統括して制御するものであり、例えばＣＰＵ（Central Processing unit）、ＡＳＩＣ（application specific integrated circuit）などのハードウェアロジック等で構成することができる。制御部２は、記憶部３、カメラ４、放射線センサー６、ＧＰＳ受信部７、通信部８、表示部９のそれぞれを制御する。制御部２の詳細な構成については後述する。
【００４４】
記憶部３は、制御部２が実行する（１）各部の制御プログラム、（２）ＯＳ（Operation System）プログラム、（３）アプリケーションプログラム、および、（４）これらプログラムを実行するときに読みだす各種データを記憶するものである。記憶部６は、フラッシュメモリなどの不揮発性の記憶装置によって構成される。また、記憶部６は、制御部２が上述の各種プログラムを実行する過程でデータを一時的に保持するための作業領域として、ＲＡＭ（Random Access Memory）などの揮発性の記憶装置によって構成される領域を有している。
【００４５】
そして、記憶部３は、特に、放射線量測定値４０を記憶する。放射線量測定値４０は、携帯端末１が取得した放射線量を示すデータが、制御部２の指示により、記憶部３に格納されたものである。
【００４６】
また、記憶部３は、後述する画像埋め込みデータも記憶する。
【００４７】
カメラ４は、背景、人物などを撮像する通常のカメラが有する機能に加え、距離センサーとしての機能を実現するための距離画像センサー３０を備えている。
【００４８】
距離画像センサー３０は、距離画像センサー３０自身から、撮像した物体（以下、撮像物体と称する）までの距離を測定し、撮像した画像データに表示したものを距離画像として取得する機能を有する。距離画像センサー３０としては、例えば、光が物体に当たって反射して返ってくるまでの往復の時間を測定して距離を求める、ＴＯＦ（Time of Flight）型の距離画像センサーを利用することができる。ＴＯＦ型の距離画像センサーの他にも、距離画像センサー３０としては、２台のカメラで撮像した画像の差分から距離を求める機能を備えるもの等を利用することができる。
【００４９】
また、距離画像センサー３０は、上記距離画像と通常のＲＧＢ画像とを同時に取得する機能を備えていてもよい。この場合、上述したように、カメラ４の撮像素子と距離画像センサー３０の撮像素子とを共用することになる。また、距離画像センサー３０として、レーザー距離計を利用してもよい。この場合、距離画像センサー３０は、カメラ４と別部材として設けることになる。
【００５０】
操作部５は、携帯端末１のユーザの操作を受け付けるものであり、典型的には、ユーザが操作することが可能な物理キーおよび、キーボード、タッチパネルなどである。なお、表示部９がタッチパネルである場合、表示部９が操作部５の機能を兼ねる構成となる。カメラ４および制御部２は、操作部５にて受け付けた携帯端末１のユーザの操作に基づき処理を行う。
【００５１】
放射線センサー６は、携帯端末１の現在地の放射線量を測定する機能を有したハードウェアである。放射線センサー６は、携帯型の情報処理装置である携帯端末１に搭載されている。このため、放射線センサー６の放射線検出部は、典型的には、半導体検出機器、シンチレータなどによって構成されている。しかしながら、上記放射線検出部の構成はこれに限定されない。
【００５２】
ＧＰＳ受信部７は、ＧＰＳ衛星から電波を受信し、該電波に基づき、携帯端末１の所在地を示す位置情報を測定する。
【００５３】
通信部８は、携帯端末１が通信ネットワークを介してインターネット通信を行うための通信インターフェースである。この通信部８を利用して、インターネット上に存在する放射線量データベースＤＢにアクセスするようになっている。
【００５４】
表示部９は、制御部２の指示に基づいて画像を表示する表示装置である。ＬＣ（Liquid Crystal）表示パネル、ＥＬ（Electro Luminescence）表示パネル等を表示部９として適用することができる。なお、図示していないが、制御部２または表示部９の内部には、ＶＤＰ（Video Display Processor）およびＶＲＡＭ（Video RAM）等の画像を表示するために必要な構成が適宜設けられている。また、表示部９は、画像表示と操作入力との両機能を備えるタッチパネルであってもよい。
【００５５】
（制御部２の詳細な構成）
制御部２の構成について詳細に説明する。制御部２は、距離情報取得部２０、放射線量取得部２１（第１放射線量取得部）、位置情報取得部２２、放射線モニタリング情報取得部２３（第２放射線量取得部）、相対比較処理部２４（相対値取得部）、精密測定部２５、画像埋め込みデータ生成部２６を備えている。
【００５６】
距離情報取得部２０は、距離画像センサー３０が測定した距離を示す距離情報を取得する。本実施形態において、距離情報取得部２０は、上記距離情報として、地上から携帯端末１までの高さを取得する。具体的には、まず、操作部５は、携帯端末１のユーザからの操作を受け付ける。次に、上記操作に応じて、カメラ４および放射線センサー６は起動し、該カメラ４は、携帯端末１のユーザの現在地の地面を撮像する。そして、距離画像センサー３０は、距離画像センサー３０自身から上記撮像された地面までの距離（すなわち、地上から携帯端末１までの高さ）を測定する。最後に、距離情報取得部２０は、距離画像センサー３０から、上記距離（すなわち、高さ）を示すデータを距離情報として取得する。
【００５７】
なお、ここでは、地上から携帯端末１までの高さを取得するのが重要なので、距離画像センサー３０以外のセンサーを用いて、上記高さを検出するようにしてもよい。
【００５８】
ここで、距離情報取得部２０は、取得した距離情報から、上記地上までの距離が、予め設定された範囲に含まれなければ、上記地上までの距離を示す距離情報を上記距離画像センサー３０から再度取得する。具体的には、距離情報取得部２０は、上記距離情報から閾値ＴＨを引いた差分が、所定誤差の範囲内に収まっているか否かを判定する。上記差分が所定誤差の範囲内に収まっていた場合、距離情報取得部２０は、取得した距離情報を放射線量モニタリング情報取得部２３に対し出力する。
【００５９】
一方、距離情報取得部２０は、上記差分が所定誤差を超えていた場合、再び、地上から携帯端末１までの高さを示す距離情報を取得する処理を行う。すなわち、距離情報取得部２０は、携帯端末１のユーザが、携帯端末１の位置を移動させ、カメラ４を用いて、再び、該ユーザの現在地の地面が撮像されるまで待機する。そして、カメラ４により地面が撮像されたとき、距離画像センサー３０は、再び、地上から携帯端末１までの高さを測定する。その後、距離情報取得部２０は、改めて上記高さを取得し、上記高さと所定閾値ＴＨとを比較する。
【００６０】
このように、距離情報取得部２０は、上述の判定条件を満たすまで、カメラ４からの距離情報の定期的な取得を繰り返す。なお、上記距離情報から閾値ＴＨを引いた差分が、所定誤差の範囲内に収まっている場合、カメラ４からの距離情報の定期的な取得は停止する。
【００６１】
放射線量取得部２１は、放射線センサー６によって検出された、携帯端末１の現在地における放射線量を取得する。そして、放射線量取得部２１は、取得した放射線量を放射線量測定値４０として記憶部３に格納する。ここで、放射線量取得部２１が取得した放射線量は、上記距離情報取得部２０が取得した上記距離情報（高さ）が示す位置において測定された放射線量である。
【００６２】
位置情報取得部２２は、ＧＰＳ受信部７が測定した携帯端末１の現在地の位置情報を取得する。ここで、位置情報取得部２２が取得した位置情報は、上記放射線量取得部２１が取得した上記放射線量の測定位置を示すものである。そして、位置情報取得部２２は、取得した位置情報を、放射線モニタリング情報取得部２３に対し出力する。なお、位置情報取得部２２は、表示部９に地図を表示させ、該地図上に上記位置情報を表示するように構成してもよい。
【００６３】
放射線モニタリング情報取得部２３は、放射線量データベースを参照して、上記位置情報取得部２２によって取得した位置情報に対応付けられた放射線量を取得する。具体的には、放射線モニタリング情報取得部２３は、通信部８を介してインターネット上の放射線量データベースＤＢにアクセスし、取得した位置情報に対応付けられた、放射線モニタリング情報を取得する。上記放射線モニタリング情報は、携帯端末１に最寄の放射線モニタリング情報の測定位置に対応する放射線量を示すものである。そして、放射線モニタリング情報取得部２３は、取得した放射線モニタリング情報を、相対比較処理部（相対値取得部）２４に対し出力する。なお、放射線モニタリング情報取得部２３は、上記位置情報に加えて、距離情報取得部２０が取得した距離情報に対応する放射線モニタリング情報を取得するように構成してもよい。
【００６４】
相対比較処理部２４は、記憶部３に格納されている放射線量測定値４０と、放射線モニタリング情報取得部２３が取得した放射線モニタリング情報との差分を放射線量の相対値として取得する。
【００６５】
相対比較処理部２４は、取得した放射線量の相対値を表示部９に出力する。なお、相対比較処理部２４は、上記相対値の大きさに応じて、該相対値を数段階のレベルに分類し、該レベルを表示部９に表示する機能を備えていてもよい。上記レベルは、携帯端末１のユーザに対して、放射線センサー６の測定精度を通知するためのものである。したがって、例えば、上記相対値が比較的大きな値であった場合、相対比較処理部２４は、放射線センサー６の測定精度が低いことを示すレベルを表示部９に表示する。
【００６６】
（精密測定部２５）
精密測定部２５は、放射線量取得部２１が取得した放射線量よりも、より精密に測定された放射線量を取得し、該精密に測定された放射線量を表示部９に表示させる処理（以下、精密測定処理と称する）を行う。
【００６７】
具体的には、精密測定部２５は、放射線量取得部２１が放射線センサー６に対して放射線量の測定を指示したときの測定条件に比べ、測定時間をより長くし、また、測定回数をより多く取った測定条件における放射線量の測定を放射線センサー６に対して指示する。そして、精密測定部２５は、上記のようにして測定された放射線量に対して、平均処理などの統計的な処理を行った結果を表示部９に表示する。なお、上記結果の表示において、精密測定部２５は、相対比較処理部２４と同様の相対比較処理を行わず、放射線量の絶対値のみを表示するように構成してもよい。なお、上記測定回数は５回程度が望ましい。
【００６８】
なお、放射線量取得部２１が放射線センサー６から放射線量を取得する際、予め、放射線量取得部２１は、放射線量の測定に関するメニューを表示部９に表示していてもよい。上記メニューは、測定する放射線量の精度を設定するためのキー（以下、精度キーと称する）を備えているが、放射線量取得部２１が放射線量を取得する段階では、グレーアウトされている。そして、相対比較処理部２４が上記相対比較処理を行った後、精密測定部２５は、上記グレーアウトされていた精度キーを有効にする。そして、精密測定部２５は、操作部５を介してユーザから受け付けた操作が、精度キーを選択するものであった場合、精密測定用のメニューを表示し、上記精密測定処理を実行する。
【００６９】
（変形例：背景画像の取得）
図２は、カメラ２０が撮像した背景の画像のデータを示す背景画像データ１００（画像データ）の一例を示したものである。図２は、携帯端末１についても併せて示している。図２に示すように、距離情報取得部２０は、地上から携帯端末１までの距離（図２に示す高さＤ）を示す距離情報を取得する。上記距離情報は、携帯端末１が測定する放射線量の測定位置に対応する。
【００７０】
ここで、図２に示すように、カメラ２０は、放射線量の測定位置の背景、建造物などの周辺の状況を撮像し、撮像した画像データを、画像埋め込みデータ生成部２６に出力してもよい。このとき、画像埋め込みデータ生成部２６は、カメラ２０からの画像データに、上記ＧＰＳ受信部７から取得した現在地の位置情報および距離情報取得部２０から取得した高さをを対応付けた画像埋め込みデータを生成し、記憶部３に格納するようにする。ユーザは、自装置の位置と地上からの高さを考慮した周囲の状況を把握するために、上記記憶部３に記憶した画像埋め込みデータを必要に応じて読み出す。
【００７１】
上記画像埋め込みデータ生成部２６が生成した画像埋め込みデータには、放射線量の測定位置を示す、地上からの高さ、緯度、経度、測定位置の周辺の状況を示す画像（背景、建造物）が含まれている。このようにして生成された画像埋め込みデータは、具体的な測定位置を示すものであるため、定点観測の際に改めて利用することができる。
【００７２】
したがって、継続的に放射線量を測定する場合などにおいて、再現性の高い放射線量の測定が可能となるという効果を奏する。
【００７３】
（閾値ＴＨ）
閾値ＴＨは、放射線量データベースＤＢが含む放射線モニタリング情報と、測定条件を統一するために設定されるものである。すなわち、閾値ＴＨは、地面から携帯端末１までの高さが、放射線モニタリング情報が示す放射線量の測定位置と同じ高さであるか否かを判別するための値である。
【００７４】
上記閾値ＴＨは、１００ｃｍ程度が望ましい。この理由としては、以下の２点が挙げられる。
【００７５】
１点目は、東京都健康安全研究センターの掲載資料である「環境放射線測定結果.pdf」の「場所の違いよる放射線測定結果（７、８ページ）」に基づいている。上記資料を参照すると、地上１００ｃｍ以上において測定された放射線量は、いずれも一定値に近いと推認される。さらに、測定位置がより高所になったとしても、測定精度は１００ｃｍとの相関近似値が得られていると考えられる。
【００７６】
２点目は、測定条件が設定されている公的な、例えば、文部科学省の放射線モニタリング情報（http://radioactivity.mext.go.jp/map/ja/）においては、可搬型あるいはモニタリング車を利用した放射線量の測定における測定条件の多くが、地上１００ｃｍとなっているためである。
【００７７】
さらに、地上１００ｃｍにおいては、地面からの人工放射性物質等の影響が小さい。
【００７８】
したがって、上記の理由から、閾値ＴＨを１００ｃｍとすることで、適切な放射線量の測定および放射線モニタリング情報との比較が可能となる。
【００７９】
（処理の流れ）
携帯端末１における処理の流れについて、図３に基づいて説明する。図３は、主に、携帯端末１における処理の流れの一例を示したフローチャートである。図３は、携帯端末１が実行する放射線量取得部２１が取得した放射線量と、放射線モニタリング情報取得部２３が取得した放射線モニタリング情報とを比較するための処理（図３に示す比較処理）の流れについて示している。なお、この例は、上記精密測定処理を含むフローチャートである。
【００８０】
まず、携帯端末１は、操作部５にて携帯端末１のユーザから受け付ける操作に従い、カメラ４、放射線センサー６および距離画像センサー３０を起動する（Ｓ１）。
【００８１】
次に、ユーザは、放射線量を測定したい位置を確定する（Ｓ２）。このとき、ユーザは携帯端末１を放射線量を測定したい位置に対応する高さに移動させる。
【００８２】
そして、距離情報取得部２０は、地上から携帯端末１までの高さを取得する（Ｓ３）。具体的には、まず、携帯端末１のユーザは、カメラ４を用いて、現在地の地面を撮像する。次に、距離画像センサー３０は、地上から携帯端末１までの距離（高さ）を測定する。そして、距離情報取得部２０は、距離画像センサー３０から、上記距離を示すデータを距離情報として取得する。なお、距離情報取得部２０は、カメラ２０によって撮像された測定位置の周辺の状況を示す背景、建造物などを取得してもよい（Ｓ３）。
【００８３】
続いて、距離情報取得部２０は、取得した上記距離情報と、所定閾値ＴＨとを比較する（Ｓ４）。具体的には、距離情報取得部２０は、上記距離から閾値ＴＨを引いた差分が、所定誤差の範囲内に収まっているか否かを判定する。そして、上記比較に基づき、距離情報取得部２０は、処理をＳ２に戻すか、Ｓ５に進めるかを決定する。
【００８４】
上記差分が所定誤差を超えていた場合（Ｓ４でＮｏ）、処理はＳ２に戻る。そして、Ｓ２において、距離情報取得部２０は、携帯端末１のユーザが携帯端末１の位置を移動させ、測定位置を確定するまで待機する。
【００８５】
一方、上記差分が所定誤差の範囲内に収まっていた場合（Ｓ４でＹｅｓ）、処理はＳ５に進む。
【００８６】
そして、Ｓ５において、放射線量取得部２１は、放射線センサー６によって検出された、携帯端末１の現在地における放射線量を取得する。このとき、放射線量取得部２１は、取得した放射線量を放射線量測定値４０として記憶部３に格納する。
【００８７】
続いて、位置情報取得部２２は、ＧＰＳ受信部７が測定した携帯端末１の現在地の位置情報を取得する（Ｓ６）。
【００８８】
続いて、放射線モニタリング情報取得部２３は、通信部８を介してインターネット上の放射線量データベースＤＢにアクセスし、放射線量データベースＤＢが含む放射線モニタリング情報を取得する（Ｓ７）。上記放射線モニタリング情報は、上記距離情報取得部２０が取得した距離情報および／または上記位置情報取得部２２が取得した位置情報が示す測定位置に、最寄の放射線モニタリング位置に対応する放射線量を示すものである。
【００８９】
そして、相対比較処理部２４は、相対比較処理部２４は、記憶部３に格納されている放射線量測定値４０と、放射線モニタリング情報取得部２３が取得した放射線モニタリング情報との差分を放射線量の相対値として表示部９に表示させる処理を行う（Ｓ８）。このとき、相対比較処理部２４は、上記相対値の大きさに応じてレベル別に数段階に分類し、該相対値に対応する該レベルを表示部９に表示させてもよい。
【００９０】
ここで、携帯端末１は、精密測定処理を行うモード（以下、精密測定モードと称する）が選択可能となる（Ｓ９）。すなわち、ここで、ユーザは操作部５を操作し、精度キーを選択することができるようになる。
【００９１】
このとき、精密測定部２５は、操作部５がユーザから受け付けた操作が、精度キーを選択するものであったか否かを判定する（Ｓ１０）。
【００９２】
上記操作が精度キーを選択するものではなく、携帯端末１に対して他の処理を指示するものであった場合（Ｓ１０でＹｅｓ）、処理はＳ１３に進む。
【００９３】
一方、上記操作が精度キーを選択するものであった場合（Ｓ１０でＮｏ）、携帯端末１は精密測定モードとなり、処理はＳ１１に進む。
【００９４】
そして、Ｓ１１において、精密測定部２５は、精密測定処理を開始する。精密測定処理において、精密測定部２５は、Ｓ５において取得された放射線量よりも、より精密に測定された放射線量を取得する。
【００９５】
そして、精密測定処理部２５は、Ｓ１１において精密に測定された放射線量を精密測定結果として表示部９に表示させる処理を行う（Ｓ１２）。そして、処理はＳ１３に進む。
【００９６】
Ｓ１３において、操作部５によって受け付けたユーザの操作が、測定を終了するための項目を選択するものであった場合（Ｓ１３でＹｅｓ）、携帯端末１は、図示の比較処理を終了する。
【００９７】
一方、上記操作が、測定を終了するための項目を選択するものではなく、測定を継続するための項目を選択するものであった場合（Ｓ１３でＮｏ）、処理はＳ２に戻り、携帯端末１は、携帯端末１のユーザが携帯端末１の位置を移動させ、測定位置を確定するまで待機する。
【００９８】
（効果）
以上のように、携帯端末１は、まず、現在地の放射線量を取得し、インターネット上の放射線量データベースＤＢから、携帯端末１の位置情報に対応する放射線量を取得する。そして、携帯端末１は、取得した放射線量と、放射線モニタリング情報とを比較し、該比較の結果を示す相対値を携帯端末１のユーザ（以下、単に「ユーザ」と称する）に対して、通知する。
【００９９】
よって、ユーザは、上記相対値を確認することができ、上記相対値が小さな値であった場合には、携帯端末１が搭載している放射線センサーの測定精度が高いと判断することができる。したがって、ユーザは、携帯端末１が搭載している放射線センサー６の測定精度に対して不安がある場合であっても、安心感を得ることができるという効果を奏する。
【０１００】
また、仮に、上記相対値が、ユーザの現在地において測定された放射線量が危険水準であることを示す値であっても、携帯端末１が搭載している放射線センサー６の測定精度が低く、実際にはそれほど危険な状況であるとは言えないような状況も想定される。このような状況においても、ユーザは、上記相対値を確認することができ、上記相対値が非常に大きな値であった場合には、放射線センサー６の測定精度に疑問があると判断することができる。
【０１０１】
上述したいずれのケースにおいても、携帯端末１が搭載している放射線センサー６の測定精度があまり高くない状況を想定している。このような状況を想定する理由は、放射線センサー６が携帯端末１に搭載されているためである。携帯端末１は、携帯型の放射線測定機器であることにより、小型かつ安価であるという利点を有している。しかしながら、携帯型の放射線測定機器は、大型の放射線測定装置に比べて、測定精度があまり高くないという欠点を内包している。これは、当然、携帯端末１に搭載されている放射線センサー６においても例外ではない。そこで、携帯端末１は、携帯型の放射線測定機器に特有の問題である測定精度を補完することができる。それゆえ、ユーザに対して無用な不安・混乱を生じさせることを防ぐことができる。
【０１０２】
以上のように、携帯端末１は、測定精度のあまり高くない携帯型の放射線量測定機器であるにも関わらず、携帯端末１が測定した放射線量と、該放射線量の測定位置に対応する、公的機関等が提供している放射線モニタリング情報とを比較することにより、携帯端末１が測定する放射線量の測定精度の低さを補完し、測定結果に信頼性を持たせることを可能としている。
【０１０３】
さらに、携帯端末１は、距離画像センサー３０を搭載していてもよい。距離画像センサー３０は、地上から測定位置までの高さを取得することができる。そして、携帯端末１は、上記高さが所定の高さ（閾値ＴＨ）であるか否かを判定する。そして、上記判定条件を満たすまで、携帯端末１は、距離画像センサー３０から、高さの定期的な取得を繰り返す。なお、上記閾値ＴＨは、放射線モニタリング情報が示す放射線量の一般的な測定条件に対応する高さである。
【０１０４】
以上のように、携帯端末１は、緯度、経度に加えて、放射線量を測定するための高さに関する測定条件も取得することができるため、測定条件を高い精度で決定することができる。また、携帯端末１は、緯度、経度に加えて、放射線量を測定するための高さに関する測定条件を放射線モニタリング情報の測定条件と統一することができる。これにより、上記放射線量の比較を適切に行うことができ、上記比較の信頼性を高めることができる。したがって、ユーザに対して、更なる安心感を与えることができる。
【０１０５】
さらに、携帯端末１は、測定位置の周辺の状況を示す背景、建造物などを撮像するように構成してもよい。そして、携帯端末１は、測定位置の位置情報および距離情報取得部２０から取得した高さと、上記画像データとを対応付けた画像埋め込みデータを生成し、記憶部３に格納するようにしてもよい。
【０１０６】
上記画像埋め込みデータには、放射線量の測定位置を示す、地上からの高さ、緯度、経度、測定位置の周辺の状況を示す画像が含まれている。したがって、携帯端末１は、上記画像埋め込みデータを記憶しておくことにより、このようにして記憶された画像埋め込みデータは、具体的な測定位置を示すものであるため、定点観測の際に改めて利用することができる。したがって、上記の構成によれば、継続的に放射線量を測定する場合などにおいて、再現性の高い放射線量の測定が可能となる。
【０１０７】
さらに、携帯端末１は、上記相対値の大きさに応じて、該相対値を数段階のレベルに分類し、該レベルを表示する機能を備えていてもよい。上記レベルは、ユーザに対して、放射線センサー６の測定精度を通知するためのものである。このように、携帯端末１が相対値をレベルに分類して表示することにより、ユーザに対して、放射線センサー６の信頼性をより明示的に示すことができるという効果を奏する。
【０１０８】
さらに、携帯端末１は、精密測定処理を行う機能を備えていてもよい。具体的には、携帯端末１は、上記相対値の取得時の放射線量の測定条件に比べ、測定時間をより長くし、また、測定回数をより多く取った測定条件における放射線量の測定を放射線センサー６に対して指示する。精密測定処理により、測定精度のあまり高くない携帯型の放射線量測定機器であっても、放射線量の測定を精密に行うことができるという効果を奏する。
【０１０９】
なお、精密測定処理よりも相対比較処理を先に行う理由は、携帯端末１が簡易型の放射線測定機器であることにより、放射線センサー６の信頼性を担保するための相対比較処理を優先的に処理するためである。
【０１１０】
（ソフトウェアによる実現例）
最後に、携帯端末１の各ブロック、特に制御部２は、集積回路（ＩＣチップ）上に形成された論理回路によってハードウェア的に実現してもよいし、ＣＰＵ（Central Processing Unit）を用いてソフトウェア的に実現してもよい。
【０１１１】
後者の場合、携帯端末１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯端末１の制御プログラムのプログラムコード（実行形式プログラム、中間コードプログラム、ソースプログラム）をコンピュータで読み取り可能に記録した記録媒体を、上記携帯端末１に供給し、そのコンピュータ（またはＣＰＵやＭＰＵ）が記録媒体に記録されているプログラムコードを読み出し実行することによっても、達成可能である。
【０１１２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１１３】
また、携帯端末１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１４】
本発明は、例えば携帯電話機、スマートフォン、タブレット端末、ゲーム機等の携帯端末、携帯型の放射線測定機器に利用することができる。
【符号の説明】
【０１１５】
１  携帯端末
２０  距離情報取得部
２１  放射線量取得部（第１放射線量取得部）
２２  位置情報取得部
２３  放射線モニタリング情報取得部（第２放射線量取得部）
２４  相対比較処理部（相対値取得部）
２５  精密測定部
２６  画像埋め込みデータ生成部
１００  背景画像データ（画像データ）
【図１】
2014035259.tif 000003
【図２】
2014035259.tif 000004
【図３】
2014035259.tif 000005